(57)【要約】【課題】バッテリーを電源とするモバイル端末に搭載可能であって据え置き型の地上波デジタル放送テレビジョン受像機のような番組予約録画を可能とする半導体集積回路を提供すること。【解決手段】半導体集積回路３は、ＣＰＵ３１、メモリインターフェース３２、ワンセグ放送を受信する２個のチューナー２ａ、ｂに接続のデジタル放送処理部３３、表示コントローラ３４を具備する。処理部３３は、チューナーからのトランスポートストリームＴＳを受信する２個の入力インターフェース３３１Ａ、Ｂ、動画像デコーダ３３２を含む。視聴受信指示に応答して、入力インターフェース３３１Ａと動画像デコーダ３３２とによる視聴が可能となる。番組情報取得指示に応答して、入力インターフェース３３１Ｂは番組情報を取得してＣＰＵに供給する。ＣＰＵは予約録画番組の開始時間の到達を監視して、外部不揮発性半導体記憶装置１５への録画が開始される。【選択図】図１
2009135748.tif 000002
【特許請求の範囲】
【請求項１】
中央処理ユニットと、外部半導体記憶装置と接続可能な外部メモリインターフェースと、ワンセグメントのモバイル向けの地上波デジタル放送を受信可能な第１と第２のチューナーに接続可能なデジタル放送処理部と、外部表示装置と接続可能な表示コントローラとを具備して、
前記デジタル放送処理部は、前記第１と前記第２のチューナーからのトランスポートストリームを受信する第１と第２のトランスポートストリーム入力インターフェースと、前記第１のトランスポートストリーム入力インターフェースの出力に接続された動画像デコーダとを含み、
前記デジタル放送処理部の前記第２のトランスポートストリーム入力インターフェースの出力には、前記外部メモリインターフェースの入力が接続され、
前記中央処理ユニットからの放送視聴のための受信指示に応答して前記第１のトランスポートストリーム入力インターフェースは、前記第１のチューナーで受信された受信地上波デジタル放送のトランスポートストリームの受信を開始して、
前記放送視聴のための前記受信指示に応答して前記動画像デコーダは、前記第１のトランスポートストリーム入力インターフェースの前記出力の動画像データの動画像復号処理を開始して、前記動画像復号処理による動画像復号データの前記表示コントローラへの供給を開始するものであり、
前記中央処理ユニットからの番組情報取得のための受信指示に応答して前記第２のトランスポートストリーム入力インターフェースは、前記第２のチューナーで受信された受信地上波デジタル放送の受信を開始して、取得した番組情報を前記中央処理ユニットに供給する。
前記中央処理ユニットと前記デジタル放送処理部とは、予約録画の動作を実行可能に構成され、
前記予約録画に先立って前記外部メモリインターフェーに外部不揮発性半導体記憶装置が接続可能であり、前記予約録画により前記外部不揮発性半導体記憶装置への前記第２のトランスポートストリーム入力インターフェースの前記出力のデータの不揮発記憶が可能とされ、
前記予約録画の設定に応答して前記中央処理ユニットは、前記予約録画が設定された番組の開始時間への到達を監視して、
前記中央処理ユニットでの前記開始時間への前記到達に応答して、前記第２のチューナーの地上波デジタル放送受信によるトランスポートストリームの前記第２のトランスポートストリーム入力インターフェースと前記外部メモリインターフェースとを介する前記外部不揮発性半導体記憶装置への前記不揮発記憶が開始される半導体集積回路。
【請求項２】
前記予約録画が設定された前記番組の前記開始時間への到達の監視は前記中央処理ユニットに内蔵されたタイマーを利用することにより実行される請求項１に記載の半導体集積回路。
【請求項３】
前記第２のトランスポートストリーム入力インターフェースで取得された前記番組情報は、前記中央処理ユニットの内蔵メモリに格納され、
前記中央処理ユニットは前記第２のトランスポートストリーム入力インターフェースによる番組情報取得を繰り返すことにより、前記中央処理ユニットは前記内蔵メモリに格納された前記番組情報の内容を更新する請求項２に記載の半導体集積回路。
【請求項４】
前記外部メモリインターフェースは外部揮発性半導体記憶装置と接続可能に構成され、
前記内蔵メモリに格納された前記番組情報のデータは、前記外部メモリインターフェースを介して前記外部揮発性半導体記憶装置に転送可能とされている請求項３に記載の半導体集積回路。
【請求項５】
前記外部メモリインターフェースは前記外部不揮発性半導体記憶装置としてのフラッシュメモリカードと前記外部揮発性半導体記憶装置としての同期型ダイナミックランダムアクセスメモリとに接続可能に構成されている請求項４に記載の半導体集積回路。
【請求項６】
中央処理ユニットと、外部半導体記憶装置と接続可能な外部メモリインターフェースと、ワンセグメントのモバイル向けの地上波デジタル放送を受信可能な第１と第２のチューナーに接続可能なデジタル放送処理部と、外部表示装置と接続可能な表示コントローラとを具備して、
前記デジタル放送処理部は、前記第１と前記第２のチューナーからのトランスポートストリームを受信する第１と第２のトランスポートストリーム入力インターフェースと、前記第１のトランスポートストリーム入力インターフェースの出力に接続された動画像デコーダとを含み、
前記デジタル放送処理部の前記第２のトランスポートストリーム入力インターフェースの出力には、前記外部メモリインターフェースの入力が接続され、
前記中央処理ユニットからの放送視聴のための受信指示に応答して前記第１のトランスポートストリーム入力インターフェースは、前記第１のチューナーで受信された受信地上波デジタル放送のトランスポートストリームの受信を開始して、
前記放送視聴のための前記受信指示に応答して前記動画像デコーダは、前記第１のトランスポートストリーム入力インターフェースの前記出力の動画像データの動画像復号処理を開始して、前記動画像復号処理による動画像復号データの前記表示コントローラへの供給を開始して、
前記デジタル放送処理部は、前記前記動画像デコーダでの前記動画像復号処理と平行する予約録画の並列動作を実行可能に構成され、
前記予約録画に先立って前記外部メモリインターフェースに外部不揮発性半導体記憶装置が接続可能であり、前記予約録画により前記外部不揮発性半導体記憶装置への前記第２のトランスポートストリーム入力インターフェースの前記出力のデータの不揮発記憶が可能とされ、
前記中央処理ユニットからの予約録画開始指示に応答して、前記前記動画像デコーダでの前記動画像復号処理と平行して前記第２のチューナーの地上波デジタル放送受信によるトランスポートストリームの前記第２のトランスポートストリーム入力インターフェースと前記外部メモリインターフェースとを介する前記外部不揮発性半導体記憶装置への前記不揮発記憶が開始される半導体集積回路。
【請求項７】
前記予約録画の設定に応答して前記中央処理ユニットは、前記予約録画が設定された番組の開始時間への到達を監視して、
前記中央処理ユニットでの前記開始時間への前記到達に応答して、前記中央処理ユニットは前記予約録画開始指示を出力する請求項６記載の半導体集積回路。
【請求項８】
前記予約録画が設定された前記番組の前記開始時間への到達の監視は前記中央処理ユニットに内蔵されたタイマーを利用することにより実行される請求項７に記載の半導体集積回路。
【請求項９】
前記第２のトランスポートストリーム入力インターフェースで取得された前記番組情報は、前記中央処理ユニットの内蔵メモリに格納され、
前記中央処理ユニットは前記第２のトランスポートストリーム入力インターフェースによる番組情報取得を繰り返すことにより、前記中央処理ユニットは前記内蔵メモリに格納された前記番組情報の内容を更新する請求項８に記載の半導体集積回路。
【請求項１０】
前記外部メモリインターフェースは外部揮発性半導体記憶装置と接続可能に構成され、
前記内蔵メモリに格納された前記番組情報のデータは、前記外部メモリインターフェースを介して前記外部揮発性半導体記憶装置に転送可能とされている請求項９に記載の半導体集積回路。
【請求項１１】
前記外部メモリインターフェースは前記外部不揮発性半導体記憶装置としてのフラッシュメモリカードと前記外部揮発性半導体記憶装置としての同期型ダイナミックランダムアクセスメモリとに接続可能に構成されている請求項１０に記載の半導体集積回路。
【発明の詳細な説明】
【技術分野】
【０００１】
本発明は、ワンセグメントのモバイル向けの地上波デジタル放送を受信可能なチューナーに接続可能なデジタル放送処理部を含む半導体集積回路に関わり、特にモバイル端末に搭載可能であって番組予約録画の実現を可能とする半導体集積回路を提供するのに有効な技術に関するものである。
【背景技術】
【０００２】
日本の地上波デジタル放送の形態としては、フルセグメントの高品位放送とワンセグメントのモバイル向け放送(いわゆるワンセグ放送)とが存在している。前者は従来のアナログ放送の６ＭＨｚ周波数帯域の１チャンネルを１３個のセグメントに分割して１２個のセグメントをＭＰＥＧ２により高品位放送を配信するものであり、後者は１個のセグメントのみをＭＰＥＧ４等の高圧縮率の符号化によりモバイル向け放送を配信するものである。
【０００３】
ワンセグ放送で扱えるビットレートは６００ｋｂｐｓ程度であり、映像と音声とに帯域を割り当てた後にその他のデータ放送に使用可能な帯域はわずかであるので、放送データである番組情報はそのチャンネルの今の番組情報とその次と更にその次との番組情報が配信される程度である。
【０００４】
一方、下記非特許文献１には、デジタル放送特有の１つの機能である電子番組ガイドシステム(ＥＰＧ)と呼ばれる機能が記載され、いわば新聞のテレビ欄、ラジオ欄をテレビに表示させるものと説明されている。下記非特許文献１によれば、デジタル放送は、ＭＰＥＧ２の圧縮形式の映像情報、音声情報および付随伝送情報等が固定長パケットに分割されたトランスポートストリーム(ＴＳ)と、所要の番組を選択するための番組特定情報(ＰＳＩ)と、番組選択の利便性のための各種情報の番組配列情報(ＳＩ)とを含むとしている。
【０００５】
また、番組毎に開始時間、番組長、番組名、出演者、番組のジャンル等の付随情報を記述したイベント情報テーブル(ＥＩＴ)がＰＳＩ情報またはＳＩ情報としてトランスポートストリームに多重化されていると、下記非特許文献１に記載されている。尚、ＥＰＧは、Electronic Program Guideの略である。また、ＴＳは、Transport Streamの略である。更に、ＰＳＩは、Program Specific Informationの略である。また、ＳＩは、Service Informationの略である。
【０００６】
また、下記非特許文献２に記載されたＣＤＭＡ方式携帯電話では、ワンセグ地上波デジタル放送チューナが、ワンセグの電波を受信してデジタルのトランスポートストリーム(ＴＳ)信号に変換して、マルチメディア処理ＬＳＩのワンセグ地上波デジタル放送処理部でＴＳ信号から映像信号と音声信号とを抽出する。抽出された映像信号はＬＣＤインターフェース部から出力され、ＬＣＤでワンセグ画像が表示される。抽出された音声信号はオーディオＩＣに出力され、スピーカーからワンセグ音声が出力される。
【０００７】
上記マルチメディア処理ＬＳＩは、オペレーティングシステム(ＯＳ)の上に構築されたメディア統合アプリケーションで実行されるマルチメディアファームウェアを連携させることにより、ワンセグＴＶの視聴・録画・再生、デジタルラジオの視聴、放送波を利用したコンテンツダウンロード機能を実現している。上記マルチメディア処理ＬＳＩのシステム／ドライバ層のソフトウェアとして、ＩＳＤＢ−Ｔ受信制御が構築される。
【０００８】
このＩＳＤＢ−Ｔ受信制御は、下記非特許文献１に記載されたＰＳＩ(番組特定情報)／ＳＩ(番組配列情報)の解析を行い、下記非特許文献１に記載のＥＩＴ(イベント情報テーブル)の解析、受信タイムアウトの監視を行っている。尚、ＩＳＤＢ−Ｔは、Integrated Services Digital Broadcasting-Terrestrialの略である。
【０００９】
また、下記特許文献１には、携帯電話のようなモバイル端末用途向けのワンセグ地上波デジタル放送でこれから始まる新たなテレビ放送にも関わらず、他のチャンネルを含めた番組情報が自動的に取得できないという問題に対応するテレビジョン受像装置が記載されている。この受像装置は、ワンセグ放送を受信する通常のデジタルチューナーに加え、放送時間帯、チャンネル、番組タイトル、出演者、あらすじ等の情報で構成された番組情報データを受信・解析するに必要な最小限の第２のデジタルチューナーを具備するものである。第２のデジタルチューナーに接続された全チャンネル番組情報収集部は、所定の周期でチャンネル選局を変更して、選局されたチャンネルの番組情報データを取得するものである。
【００１０】
【特許文献１】特開２００４−２２２０３１号  公報
【非特許文献１】石川  隆  他  「番組配列情報・電子番組ガイドシステム」  東芝レビューＶｏｌ．５５，  Ｎｏ．１２  (２０００)  ＰＰ．２２〜２５．  ２０００年１２月号
【非特許文献２】秋山  賢二  他  「ワンセグ・デジタルラジオ対応のＣＤＭＡ方式携帯電話Ｗ５２Ｔ」  東芝レビューＶｏｌ．６２，  Ｎｏ．５  (２００７)  ＰＰ．３６〜３９．  ２００７年５月号
【発明の開示】
【発明が解決しようとする課題】
【００１１】
上述したようにワンセグ地上波デジタル放送のような放送サービスでは、視聴中の放送局チャネルにおける現在の番組(ｐ：present)、次の番組(ｆ：following)、更にその次の番組(ａ：after)の情報程度しか、そのチャネルの放送番組情報が配信されていない。つまり、同じ時刻の他の放送局からの番組に関する情報は、視聴チャンネルを変更しない限りは、取得できない。
【００１２】
それに対して、高品位放送のフルセグメントの地上波デジタル放送ではその地域で受信可能な全ての放送局からの番組に関する番組情報を含む電子番組ガイドシステム(ＥＰＧ)が配信されるので、家庭に設置された据え置き型の地上波デジタル放送テレビジョン受像機は地域の全番組情報を取得できる。また、この据え置き型受像機は、デジタルダブルチューナーを内蔵しており、裏番組の録画をスタートしてもチャンネルを切り換えずに視聴中の番組をそのまま楽しめる裏番組録画機能を有している。更に、この据え置き型受像機は、視聴したい番組が重なった時に２つの番組を同時に視聴できるダブルウインドウの機能も有している。
【００１３】
しかし、ワンセグ地上波デジタル放送に対応する携帯電話のような一般的なモバイル端末では、据え置き型の地上波デジタル放送テレビジョン受像機のように地域の全番組情報を取得することができない。また、このような一般的なモバイル端末は、据え置き型の地上波デジタル放送テレビジョン受像機のような裏番組録画機能を有していない。
【００１４】
ワンセグ地上波デジタル放送に対応する携帯電話のような一般的なモバイル端末等で、地域の全チャンネルの番組情報を取得しようとすれば、デジタル放送と別経路の携帯電話の無線通信によるインターネットウェブサイトのアクセス等により番組情報を取得することになる。全放送局チャンネルの1週間分の番組関連情報等を一度に取得したい場合は、このようなアクセスが有益となるが、現在の時刻に近い範囲に限定された全放送局チャンネルの番組関連情報を取得したい場合にはもっと容易に取得できる方が良い。また、現在の番組の延長により次の番組の本来の放送時間が近づいた段階で番組編成変更が発生した場合等に、追従させたい場合等は、インターネットアクセスによる取得よりも、ワンセグ地上波デジタル放送波から直接情報を取得する方が望ましい。
【００１５】
また、上記特許文献１に記載のようにワンセグ地上波デジタル放送に対応するモバイル端末において、第２のデジタルチューナーの全チャンネル番組情報収集部が所定の周期でチャンネル選局を変更することにより選局されたチャンネルの番組情報データを取得することが知られている。しかし、上記特許文献１に記載のモバイル端末や、上記非特許文献１に記載のＣＤＭＡ方式携帯電話に搭載されるマルチメディアＬＳＩでは、据え置き型の地上波デジタル放送テレビジョン受像機のような裏番組録画機能を有していない。
【００１６】
本発明は、以上のような本発明に先立った本発明者等の検討の結果、なされたものである。
【００１７】
従って、本発明の目的とするところは、バッテリー電圧を電源電圧とするモバイル端末に搭載可能であって据え置き型の地上波デジタル放送テレビジョン受像機のような番組予約録画の実現を可能とする半導体集積回路を提供することにある。
【００１８】
また、本発明の他の目的とするところは、バッテリー電圧を電源電圧とするモバイル端末に搭載可能であって据え置き型の地上波デジタル放送テレビジョン受像機のように裏番組の録画をスタートしてもチャンネルを切り換えずに視聴中の番組をそのまま楽しめる低消費電力の裏番組録画機能を実現することにある。
【００１９】
本発明の前記ならびにその他の目的と新規な特徴は、本明細書の記述および添付図面から明らかになるであろう。
【課題を解決するための手段】
【００２０】
本願において開示される発明のうちの代表的なものについて簡単に説明すれば下記のとおりである。
【００２１】
すなわち、本発明の代表的な半導体集積回路(３)は、ＣＰＵ(３１)と、外部メモリインターフェース(３２)、ワンセグ放送を受信可能な第１と第２のチューナー(２ａ、２ｂ)に接続可能なデジタル放送処理部(３３)と、外部表示装置(１６)と接続可能な表示コントローラ(３４)とを具備する。
【００２２】
前記デジタル放送処理部は、前記第１と前記第２のチューナー(２ａ、２ｂ)からのトランスポートストリームＴＳを受信する第１と第２の入力インターフェース(３３１Ａ、Ｂ)と、前記第１の入力インターフェース(３３１Ａ)の出力に接続された動画像デコーダ(３３２)とを含む。前記デジタル放送処理部の前記第２の入力インターフェース(３３１Ｂ)の出力に、前記外部メモリインターフェース(３２)の入力が接続される。
【００２３】
放送視聴の受信指示に応答して、前記第１のチューナー(２ａ)に接続される前記第１の入力インターフェース(３３１Ａ)の前記出力の動画像復号処理(３３２)を開始する。番組情報取得の受信指示に応答して、前記第２のチューナー(２ｂ) に接続される前記第２の入力インターフェース(３３１Ｂ)は番組情報(ＥＩＴ)の取得を開始して、取得した番組情報(ＥＩＴ)を前記ＣＰＵ(３１)に供給する。
【００２４】
前記ＣＰＵ(３１)は予約番組の開始時間への到達を監視して、前記開始時間への前記到達に応答して、前記第２のチューナー(２ｂ)のトランスポートストリームの前記外部不揮発性半導体記憶装置(１５)への前記不揮発記憶が開始される(図１参照)。
【発明の効果】
【００２５】
本願において開示される発明のうち代表的なものによって得られる効果を簡単に説明すれば下記の通りである。すなわち、バッテリー電圧を電源電圧とするモバイル端末に搭載可能であって据え置き型の地上波デジタル放送テレビジョン受像機のような番組予約録画の実現を可能とする半導体集積回路を提供することができる。
【発明を実施するための最良の形態】
【００２６】
《代表的な実施の形態》
先ず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００２７】
〔１〕本発明の代表的な実施の形態による半導体集積回路(３)は、中央処理ユニット(３１)と、外部半導体記憶装置(１２、１３、１４、１５)と接続可能な外部メモリインターフェース(３２)とを具備する。
【００２８】
前記半導体集積回路は、ワンセグメントのモバイル向けの地上波デジタル放送を受信可能な第１と第２のチューナー(２ａ、２ｂ)に接続可能なデジタル放送処理部(３３)と、外部表示装置(１６)と接続可能な表示コントローラ(３４)とを更に具備する。
【００２９】
前記デジタル放送処理部は、前記第１と前記第２のチューナーからのトランスポートストリームを受信する第１と第２のトランスポートストリーム入力インターフェース(３３１Ａ、Ｂ)と、前記第１のトランスポートストリーム入力インターフェース(３３１Ａ)の出力に接続された動画像デコーダ(３３２)とを含む。
【００３０】
前記デジタル放送処理部の前記第２のトランスポートストリーム入力インターフェース(３３１Ｂ)の出力には、前記外部メモリインターフェース(３２)の入力が接続されている。
【００３１】
前記中央処理ユニット(３１)からの放送視聴のための受信指示に応答して前記第１のトランスポートストリーム入力インターフェース(３３１Ａ)は、前記第１のチューナー(２ａ)で受信された受信地上波デジタル放送のトランスポートストリームの受信を開始する。
【００３２】
前記放送視聴のための前記受信指示に応答して前記動画像デコーダ(３３２)は、前記第１のトランスポートストリーム入力インターフェース(３３１Ａ)の前記出力の動画像データの動画像復号処理を開始して、前記動画像復号処理による動画像復号データの前記表示コントローラ(３４)への供給を開始する。
【００３３】
前記中央処理ユニット(３１)からの番組情報取得のための受信指示に応答して前記第２のトランスポートストリーム入力インターフェース(３３１Ｂ)は、前記第２のチューナー(２ｂ)で受信された受信地上波デジタル放送の受信を開始して、取得した番組情報(ＥＩＴ)を前記中央処理ユニット(３１)に供給する。
【００３４】
前記半導体集積回路の前記中央処理ユニット(３１)と前記デジタル放送処理部(３３)とは、予約録画の動作を実行可能に構成されている。
【００３５】
前記予約録画に先立って前記外部メモリインターフェース(３２)に外部不揮発性半導体記憶装置(１５)が接続可能であり、前記予約録画により前記外部不揮発性半導体記憶装置への前記第２のトランスポートストリーム入力インターフェース(３３１Ｂ)の前記出力のデータの不揮発記憶が可能とされる。
【００３６】
前記予約録画の設定に応答して前記中央処理ユニット(３１)は、前記予約録画が設定された番組の開始時間への到達を監視する。
【００３７】
前記中央処理ユニット(３１)での前記開始時間への前記到達に応答して、前記第２のチューナー(２ｂ)の地上波デジタル放送受信によるトランスポートストリームの前記第２のトランスポートストリーム入力インターフェース(３３１Ｂ)と前記外部メモリインターフェース(３２)とを介する前記外部不揮発性半導体記憶装置(１５)への前記不揮発記憶が開始される(図１参照)。
【００３８】
従って、前記実施の形態によれば、バッテリー電圧を電源電圧とするモバイル端末において、据え置き型の地上波デジタル放送テレビジョン受像機のような番組予約録画を実現することができる。
【００３９】
好適な実施の形態による半導体集積回路では、前記予約録画が設定された前記番組の前記開始時間への到達の監視は前記中央処理ユニット(３１)に内蔵されたタイマーを利用することにより実行される。
【００４０】
前記好適な実施の形態によれば、タイマーと言うＣＰＵの一般的ハードウェアリソースを番組予約録画に有効活用することができる。
【００４１】
他の好適な実施の形態による半導体集積回路では、前記第２のトランスポートストリーム入力インターフェース(３３１Ｂ)で取得された前記番組情報(ＥＩＴ)は、前記中央処理ユニット(３１)の内蔵メモリ(３１４)に格納される。
【００４２】
前記中央処理ユニット(３１)は前記第２のトランスポートストリーム入力インターフェース(３３１Ｂ)による番組情報取得を繰り返すことにより、前記中央処理ユニット(３１)は前記内蔵メモリ(３１４)に格納された前記番組情報(ＥＩＴ)の内容を更新する。
【００４３】
前記他の好適な実施の形態によれば、ワンセグ地上波デジタル放送の番組編成変更が発生した場合でも、エンドユーザーの煩雑な操作無しに、変更前に予約した番組の予約録画開始時間を自動的に追従させることが可能となる。
【００４４】
より好適な実施の形態による半導体集積回路では、前記外部メモリインターフェース(３２)は外部揮発性半導体記憶装置(１３)と接続可能に構成されている。
【００４５】
前記内蔵メモリ(３１４)に格納された前記番組情報(ＥＩＴ)のデータは、前記外部メモリインターフェース(３２)を介して前記外部揮発性半導体記憶装置(１３)に転送可能とされている。
【００４６】
前記より好適な実施の形態によれば、前記中央処理ユニット(３１)の前記内蔵メモリ(３１４)のメモリ容量よりも番組情報(ＥＩＴ)のデータ量が大きくなってもモバイル端末で一般的ハードウェアリソースである前記外部揮発性半導体記憶装置(１３)を有効活用することができる。
【００４７】
具体的な一つの実施の形態による半導体集積回路では、前記外部メモリインターフェース(３２)は前記外部不揮発性半導体記憶装置としてのフラッシュメモリカード(１５)と前記外部揮発性半導体記憶装置としての同期型ダイナミックランダムアクセスメモリ(１３)とに接続可能に構成されている。
【００４８】
〔２〕本発明の別の観点の代表的な実施の形態による半導体集積回路(３)は、中央処理ユニット(３１)と、外部半導体記憶装置(１２、１３、１４、１５)と接続可能な外部メモリインターフェース(３２)とを具備する。
【００４９】
前記半導体集積回路は、ワンセグメントのモバイル向けの地上波デジタル放送を受信可能な第１と第２のチューナー(２ａ、２ｂ)に接続可能なデジタル放送処理部(３３)と、外部表示装置(１６)と接続可能な表示コントローラ(３４)とを更に具備する。
【００５０】
前記デジタル放送処理部は、前記第１と前記第２のチューナーからのトランスポートストリームを受信する第１と第２のトランスポートストリーム入力インターフェース(３３１Ａ、Ｂ)と、前記第１のトランスポートストリーム入力インターフェース(３３１Ａ)の出力に接続された動画像デコーダ(３３２)とを含む。
【００５１】
前記デジタル放送処理部の前記第２のトランスポートストリーム入力インターフェース(３３１Ｂ)の出力には、前記外部メモリインターフェース(３２)の入力が接続されている。
【００５２】
前記中央処理ユニット(３１)からの放送視聴のための受信指示に応答して前記第１のトランスポートストリーム入力インターフェース(３３１Ａ)は、前記第１のチューナー(２ａ)で受信された受信地上波デジタル放送のトランスポートストリームの受信を開始する。
【００５３】
前記放送視聴のための前記受信指示に応答して前記動画像デコーダ(３３２)は、前記第１のトランスポートストリーム入力インターフェース(３３１Ａ)の前記出力の動画像データの動画像復号処理を開始して、前記動画像復号処理による動画像復号データの前記表示コントローラ(３４)への供給を開始する。
【００５４】
前記半導体集積回路の前記デジタル放送処理部(３３)は、前記前記動画像デコーダ(３３２)での前記動画像復号処理と平行する予約録画の並列動作を実行可能に構成されている。
【００５５】
前記予約録画に先立って前記外部メモリインターフェース(３２)に外部不揮発性半導体記憶装置(１５)が接続可能であり、前記予約録画により前記外部不揮発性半導体記憶装置への前記第２のトランスポートストリーム入力インターフェース(３３１Ｂ)の前記出力のデータの不揮発記憶が可能とされる。
【００５６】
前記中央処理ユニット(３１)からの予約録画開始指示に応答して、前記前記動画像デコーダでの前記動画像復号処理と平行して前記第２のチューナー(２ｂ)の地上波デジタル放送受信によるトランスポートストリームの前記第２のトランスポートストリーム入力インターフェース(３３１Ｂ)と前記外部メモリインターフェース(３２)とを介する前記外部不揮発性半導体記憶装置(１５)への前記不揮発記憶が開始される(図１参照)。
【００５７】
従って、前記実施の形態によれば、バッテリー電圧を電源電圧とするモバイル端末において、据え置き型の地上波デジタル放送テレビジョン受像機のように裏番組の録画をスタートしてもチャンネルを切り換えずに視聴中の番組をそのまま楽しめる低消費電力の裏番組録画機能を実現することができる。
【００５８】
この時に、裏番組の録画が行われる記憶媒体は、据え置き型の場合の消費電力の大きなハードディスクドライブ(ＨＤＤ)記憶装置ではなく、フラッシュメモリカードのような低消費電力の前記外部不揮発性半導体記憶装置(１５)を利用することができるので、モバイル端末での裏番組録画機能を実現することができる。
【００５９】
好適な実施の形態による半導体集積回路では、前記予約録画の設定に応答して前記中央処理ユニット(３１)は、前記予約録画が設定された番組の開始時間への到達を監視する。
【００６０】
前記中央処理ユニット(３１)での前記開始時間への前記到達に応答して、前記中央処理ユニットは前記予約録画開始指示を出力する。
【００６１】
《実施の形態の説明》
次に、実施の形態について更に詳述する。
【００６２】
《アプリケーションプロセッサを搭載した携帯電話》
図１は、本発明の１つの実施の形態による半導体集積回路としてのアプリケーションプロセッサを搭載した携帯電話の構成を示す図である。
【００６３】
図１の携帯電話は、携帯電話の機能を実現するために、アンテナ４、デュプレクサ５、ＲＦアナログ信号処理集積回路６、ＲＦ電力増幅器７、ベースバンドプロセッサ８、アプリケーションプロセッサ３を含んでいる。
【００６４】
また、図１の携帯電話は、ワンセグ地上波デジタル放送の視聴と伴に予約による外部不揮発性半導体記憶装置への録画を可能とするために、ロッドアンテナ１、２個のワンセグ地上波デジタル放送／チューナーモジュール２ａ、２ｂ、アプリケーションプロセッサ３を含んでいる。ワンセグ地上波デジタル放送／チューナーモジュール２ａ、２ｂは、地上波デジタルのワンセグ放送を受信するＩＳＤＢ−Ｔ受信チューナーモジュールである。尚、ＩＳＤＢ−Ｔは、Integrated Services Digital Broadcasting-Terrestrialの略である。   
更に、アプリケーションプロセッサ３に接続されたＬＣＤ表示装置１６とベースバンドプロセッサ８に接続されたオーディオ集積回路９とは、携帯電話の機能とワンセグ地上波デジタル放送の視聴を可能とするため使用される。
【００６５】
図示されてはいないが、アプリケーションプロセッサ３には操作キーや操作ボタンを有する操作デバイスが接続され、エンドユーザーが操作デバイスを操作することによって携帯電話による通話やワンセグ地上波デジタル放送の視聴および予約録画が可能となる。
【００６６】
《携帯電話の機能》
エンドユーザーが操作デバイスを操作することによって、携帯電話による通話が開始される。アンテナ４により受信された基地局からのＲＦ受信信号はデュプレクサ５を介して、ＲＦＩＣ６内部の受信信号処理部に供給される。ＲＦ受信信号はＲＦＩＣ６の受信信号処理部でアナログ受信ベースバンド信号にダウンコンバートされ、アナログ受信ベースバンド信号はＲＦＩＣ６内部のＡ／Ｄ変換器によりデジタル受信ベースバンド信号に変換される。
【００６７】
ＲＦＩＣ６のＡ／Ｄ変換器から供給されるデジタル受信ベースバンド信号はベースバンドプロセッサ８で復調信号処理を受け、Ｄ／Ａ変換器８２によるＤ／Ａ変換によって受信音声出力信号が生成される。受信音声出力信号は、オーディオＩＣ９で増幅された後、スピーカー１０に供給される。
【００６８】
マイクロフォン１１の送信音声入力信号はオーディオＩＣ９で増幅された後、ベースバンドプロセッサ８のＡ／Ｄ変換器８３によるＡ／Ｄ変換によってデジタル信号に変換され更にベースバンドプロセッサ８の変調信号処理を受け、デジタル送信ベースバンド信号に変換される。このデジタル送信ベースバンド信号は、ＲＦＩＣ６のＤ／Ａ変換器によるＤ／Ａ変換によってアナログ送信ベースバンド信号に変換され、アナログ送信ベースバンド信号はＲＦＩＣ６の受信信号処理部でＲＦ送信信号にアップコンバートされる。ＲＦ送信信号はＲＦ電力増幅器７で増幅された後、デュプレクサ５とアンテナ４とを介して基地局に送信される。
【００６９】
ワンセグ地上波デジタル放送／チューナーモジュール２ａ、２ｂと、ベースバンドプロセッサ８と、オーディオＩＣ９とには、本発明の１つの実施の形態による半導体集積回路としてのアプリケーションプロセッサ３が接続されている。
【００７０】
《アプリケーションプロセッサの構成》
アプリケーションプロセッサ３は、中央処理ユニット(ＣＰＵ)３１、外部メモリインターフェースユニット３２、ワンセグ地上波デジタル放送処理部３３、ＬＣＤコントローラ３４により構成されている。
【００７１】
ＣＰＵ３１は、ＣＰＵコア３１１、命令キャッシュメモリ３１２、データキャッシュメモリ３１３、内蔵ＲＡＭ３１４を含んでいる。
【００７２】
外部メモリインターフェースユニット３２は、第１外部不揮発性半導体記憶装置１２としてのフラッシュメモリに接続される第１外部メモリインターフェース３２２、第１外部揮発性記憶装置１３としての同期型ダイナミックランダムアクセスメモリに接続される第２外部メモリインターフェース３２３を含んでいる。
【００７３】
フラッシュメモリ１２にはモバイル端末としての携帯電話の基本的な動作のためのオペレーティングシステム(ＯＳ)のソフトウェアが格納可能であり、ＳＤＲＡＭ１３には携帯電話の動作中およびワンセグ地上波デジタル放送の視聴動作もしくは予約録画を可能とする受信機の種々のデータが格納可能である。
【００７４】
外部メモリインターフェースユニット３２は、更に第２外部不揮発性半導体記憶装置１４としてのフラッシュメモリに接続される第３外部メモリインターフェース３２４、拡張外部不揮発性半導体記憶装置１５としてのモバイル端末としての携帯電話に挿入接続されるフラッシュメモリカードに接続される拡張外部メモリインターフェース３２５を含んでいる。
【００７５】
フラッシュメモリ１４には、フラッシュメモリ１２に格納されたＯＳ上に構築可能な携帯電話およびワンセグ地上波デジタル放送受信機の種々のアプリケーションプログラムのソフトウェアが、格納可能である。フラッシュメモリカード１５には、携帯電話およびワンセグ地上波デジタル放送受信機の動作に関連してエンドユーザーが不揮発記憶を指定して不揮発記憶する種々のデータおよびコンテンツが、格納可能である。
【００７６】
ワンセグ地上波デジタル放送処理部３３は、第１トランスポートストリーム入力インターフェース３３１Ａ、第２トランスポートストリーム入力インターフェース３３１Ｂ、ＭＰＥＧ４／Ｈ．２６４圧縮動画像デコーダ３３２、音声インターフェース３３３により構成されている。
【００７７】
２個のワンセグ地上波デジタル放送／チューナーモジュール２ａ、２ｂからのトランスポートストリームＴＳは、モジュール２ａ、２ｂで受信されたデジタル放送番組のデジタル化され多重化されＭＰＥＧ４の圧縮形式の映像情報、音声情報および付随伝送情報等の固定長パケットを含んでいる。付随情報には、番組特定情報(ＰＳＩ)または番組配列情報(ＳＩ)として、番組毎に開始時間、番組長、番組名、出演者、番組のジャンル等の付随情報を記述したイベント情報テーブル(ＥＩＴ)が含まれている。
【００７８】
《ワンセグ地上波デジタル放送の番組の視聴》
視聴の前に、ＬＣＤ表示装置１６でのイベント情報テーブル(ＥＩＴ)の表示を見ながらエンドユーザーが操作デバイスを操作することによってワンセグ地上波デジタル放送の番組を選択することができる。
【００７９】
ワンセグ地上波デジタル放送の番組の視聴は、フラッシュメモリ１２の格納ＯＳ上に構築可能なアプリケーションプログラムの１つである放送番組視聴プログラムのアプリケーションプロセッサ３による実行により可能となる。放送番組視聴の設定に応答してアプリケーションプロセッサ３のＣＰＵ３１は、一方のワンセグ地上波デジタル放送／チューナーモジュール２ａに視聴を選択したワンセグ地上波デジタル放送の番組のトランスポートストリームの受信を指示する。
【００８０】
番組の選択によって受信が開始されたワンセグ地上波デジタル放送のトランスポートストリームＴＳは、一方のワンセグ地上波デジタル放送／チューナーモジュール２ａから第１トランスポートストリーム入力インターフェース３３１Ａを介して圧縮動画像デコーダ３３２に供給される。圧縮動画像デコーダ３３２でトランスポートストリームＴＳの動画復号処理が行われ、復号動画データはＬＣＤコントローラ３４を介してＬＣＤ表示装置１６に供給され、復号音声データは音声インターフェース３３３とオーディオＩＣ９とを介してスピーカー１０に供給される。このようにして、エンドユーザーは、ワンセグ地上波デジタル放送の番組を視聴することができる。
【００８１】
《外部不揮発性半導体記憶装置へのワンセグ地上波デジタル放送の予約録画》
外部不揮発性半導体記憶装置へのワンセグ地上波デジタル放送の録画の予約は、ＬＣＤ表示装置１６でのイベント情報テーブル(ＥＩＴ)の表示を見ながらのエンドユーザーによる操作デバイスの操作による予約録画するワンセグ地上波デジタル放送の番組の決定で可能となる。このワンセグ地上波デジタル放送の予約録画も、フラッシュメモリ１２の格納ＯＳ上に構築可能なアプリケーションプログラムの１つである予約録画プログラムのアプリケーションプロセッサ３による実行により可能となる。
【００８２】
録画予約が設定されると、プログラム実行中のアプリケーションプロセッサ３のＣＰＵ３１のＣＰＵコア３１１の図示しないウオッチドックタイマを利用することにより、録画予約が設定された番組の開始時間の到達を知ることができる。
【００８３】
録画予約が設定された番組の開始時間に到達すると、ＣＰＵ３１は他方のワンセグ地上波デジタル放送／チューナーモジュール２ｂに録画予約が設定された番組のワンセグ地上波デジタル放送の受信開始と第２トランスポートストリーム入力インターフェース３３１ＢにＴＳデータの受信開始とを指示する。それと同時に、ＣＰＵ３１は、第２トランスポートストリーム入力インターフェース３３１Ｂに録画予約が設定された番組のトランスポートストリームの拡張外部メモリインターフェース３２５を介してフラッシュメモリカード１５への不揮発記憶の開始を指示する。フラッシュメモリカード１５への不揮発記憶の開始により、予約録画の動作が開始される。
【００８４】
予約録画の動作が開始された後、プログラム実行によりアプリケーションプロセッサ３のＣＰＵ３１のＣＰＵコア３１１の図示しないウオッチドックタイマには録画予約が設定された番組の終了時間が設定される。番組の終了時間は、ＣＰＵ３１によるイベント情報テーブル(ＥＩＴ)の開始時間と番組長との加算により算出される。録画予約が設定された番組の終了時間に到達した後、ＣＰＵ３１は他方のワンセグ地上波デジタル放送／チューナーモジュール２ｂに録画予約が設定された番組のワンセグ地上波デジタル放送の受信終了と第２トランスポートストリーム入力インターフェース３３１ＢにＴＳデータの受信終了とを指示する。それと同時に、ＣＰＵ３１は、第２トランスポートストリーム入力インターフェース３３１Ｂに拡張外部メモリインターフェース３２５を介してのフラッシュメモリカード１５への書き込みデータの不揮発記憶の終了を指示する。
【００８５】
また、予約録画が完了した後に、フラッシュメモリカード１５は拡張外部メモリインターフェース３２５から引き抜かれ、携帯電話外部のパーソナルコンピュータ等のメモリスロットに挿入されることにより、パーソナルコンピュータ等の大型表示画面を利用して動画像を視聴することができる。
【００８６】
《視聴動作と裏番組の予約録画動作との並列動作》
また、アプリケーションプロセッサ３のアプリケーションプログラムの実行により、ワンセグ地上波デジタル放送の視聴動作と録画予約が設定された裏番組のフラッシュメモリカード１５への不揮発記憶動作の予約録画との並列動作が可能となる。
【００８７】
ワンセグ地上波デジタル放送の視聴動作は、チューナーモジュール２ａからＴＳ入力インターフェース３３１Ａ、圧縮動画像デコーダ３３２を介した音声インターフェース３３３、ＬＣＤコントローラ３４へのトランスポートストリームのデータ転送により実行される。
【００８８】
録画予約が設定された裏番組のフラッシュメモリカード１５への不揮発記憶動作は、チューナーモジュール２ｂからＴＳ入力インターフェース３３１Ｂ、拡張外部メモリインターフェース３２５を介したフラッシュメモリカード１５へのトランスポートストリームのデータ転送により実行される。
【００８９】
ワンセグ地上波デジタル放送処理部３３の圧縮動画像デコーダ３３２の視聴動作のためのＴＳ動画復号処理の消費電力が比較的大きいのに対して、予約録画のための入力インターフェース３３１Ｂからメモリインターフェース３２５を介したフラッシュメモリカード１５へのデータ転送の消費電力が比較的小さくできる。
【００９０】
据え置き型の地上波デジタル放送テレビジョン受像機での裏放送番組の予約録画は、ハードディスクドライブ(ＨＤＤ)記憶装置を利用している。しかし、ＨＤＤ記憶装置では、スピンドルモータとボイスコイルアームのメカ部品を駆動するため、消費電力が大きい。
【００９１】
それに対して、本発明の1つの実施の形態では、予約録画が行われるフラッシュメモリカード１５はメカ部品を有していないので、据え置き型の地上波デジタル放送テレビジョン受像機のＨＤＤ記憶装置と比較して、大幅に消費電力を削減することができる。その結果、バッテリー電圧を電源電圧とするモバイル端末に搭載されるアプリケーションプロセッサ３においても、ワンセグ地上波デジタル放送の視聴動作と外部不揮発性半導体記憶装置へのワンセグ地上波デジタル放送の裏番組の予約録画動作との並列動作を可能とすることができる。
【００９２】
《定期的チャンネルザッピングによるイベント情報テーブルＥＩＴの更新》
アプリケーションプロセッサ３のアプリケーションプログラムの実行により、ＣＰＵ３１は現在のワンセグ地上波デジタル放送の視聴動作に使用される一方のチューナーモジュール２ａと別の他方のチューナーモジュール２ｂに定期的にチャンネルザッピング動作によるＥＩＴ情報の更新を指示する。
【００９３】
ザッピングとは本来はテレビ番組がコマーシャルに移ると視聴者が特に目的もなくチャンネルを換え他局の番組を見たり、ぐるぐるとチャンネルを巡回する行為を意味するものである。
【００９４】
本発明の1つの実施の形態では、ＣＰＵ３１が定期的に他方のチューナーモジュール２ｂへ短時間のチャンネルザッピング動作によるＥＩＴ情報の更新を指示する。
【００９５】
短時間のチャンネルザッピング動作により、現在の時刻に近い範囲に限定された全放送局チャンネルの番組関連情報の特にイベント情報テーブル(ＥＩＴ)を取得することができる。また、現在の番組の延長により次の番組の本来の放送時間が近づいた段階で番組編成変更が発生した場合等にも、予約録画動作を追従することもできる。
【００９６】
他方のチューナーモジュール２ｂは現在の時刻に近い全放送局チャンネルのイベント情報テーブル(ＥＩＴ)を取得して、ＣＰＵ３１と第２トランスポートストリーム入力インターフェース３３１Ｂとは取得したイベント情報テーブル(ＥＩＴ)のデータを例えばＳＤＲＡＭ１３に格納する。また、録画予約が設定されている場合には、ＣＰＵ３１は更新されたＥＩＴ情報に応答して番組編成変更に対応するため図示しないウオッチドックタイマに最新の更新開始時間を設定する。
【００９７】
具体的には、プログラムの実行によるＣＰＵ３１の指示に応答して他方のチューナーモジュール２ｂは、地域の現在の時刻に一番近い全放送局チャンネルのイベント情報テーブル(ＥＩＴ)を順番に取得する。チューナーモジュール２ｂで取得された現在の時刻に一番近い最初の放送局のイベント情報テーブル(ＥＩＴ)は、最初にアプリケーションプロセッサ３のＣＰＵ３１の内蔵ＲＡＭ３１４に格納される。同様な処理を進めることで、現在の時刻に一番近い最後の放送局のイベント情報テーブル(ＥＩＴ)も、最初にアプリケーションプロセッサ３のＣＰＵ３１の内蔵ＲＡＭ３１４に格納される。次に、プログラムの実行によるＣＰＵ３１の指示に応答して他方のチューナーモジュール２ｂは、地域の現在の時刻に二番目に近い全放送局チャンネルのイベント情報テーブル(ＥＩＴ)を順番に取得する。チューナーモジュール２ｂで取得された現在の時刻に二番目に近い最初の放送局のイベント情報テーブル(ＥＩＴ)も、最初にアプリケーションプロセッサ３のＣＰＵ３１の内蔵ＲＡＭ３１４に格納される。同様な処理を進めることで、現在の時刻に二番目に近い最後の放送局のイベント情報テーブル(ＥＩＴ)も、最初にアプリケーションプロセッサ３のＣＰＵ３１の内蔵ＲＡＭ３１４に格納される。同様な処理により、ＣＰＵ３１の内蔵ＲＡＭ３１４には、ある程度のサイズのイベント情報テーブルデータが格納される。従って、ＣＰＵ３１は、第１メモリインターフェース３２３を起動することにより、内蔵ＲＡＭ３１４に格納されたイベント情報テーブルデータを高速のバースト転送でＳＤＲＡＭ１３にデータ書き込みを行う。第１メモリインターフェース３２３は高速のバースト転送に際して書き込みスタートアドレスとバースト書き込みサイズとをＳＤＲＡＭ１３に供給するので、ＳＤＲＡＭ１３は外部クロック信号に応答して書き込みアドレスを自動更新しながらイベント情報テーブルデータの高速内部書き込みを実行することができる。
【００９８】
ＳＤＲＡＭ１３へのイベント情報テーブルデータの高速内部書き込みが終了すると、ＣＰＵ３１の内蔵ＲＡＭ３１４に格納されているイベント情報テーブルデータは不必要となるので、プログラムの実行によってＣＰＵ３１は内蔵ＲＡＭ３１４に格納されている不必要なイベント情報テーブルデータをクリアする。この処理の間に、第２ＴＳ入力インターフェース３３１Ｂが録画予約の設定された番組のイベント情報テーブル(ＥＩＴ)を検出すると、ＣＰＵコア３１１のウオッチドックタイマに録画予約が設定された番組の最新の開始時間を更新する。このようにして、番組編成変更が発生した場合でも、自動的に予約録画の録画開始を追従させることが可能となる。
【００９９】
また、本発明の好ましい実施の形態として、録画予約の設定された局の番組に関しては他の番組よりもイベント情報テーブル(ＥＩＴ)の更新取得の頻度を高くすることもできる。更に、本発明のより好ましい実施の形態として、録画予約の設定された局の番組に関しては開始時間に近づくに従って、他の番組よりもイベント情報テーブル(ＥＩＴ)の更新取得の周期を短くすることもできる。
【０１００】
最新の更新番組開始時間に到達すると、ＣＰＵ３１は他方のワンセグ地上波デジタル放送／チューナーモジュール２ｂに録画予約が設定された番組のワンセグ地上波デジタル放送の受信開始と第２トランスポートストリーム入力インターフェース３３１ＢにＴＳデータの受信開始とを指示する。それと同時に、ＣＰＵ３１は、第２トランスポートストリーム入力インターフェース３３１Ｂに録画予約が設定された番組のトランスポートストリームの拡張外部メモリインターフェース３２５を介してフラッシュメモリカード１５への不揮発記憶の開始を指示する。
【０１０１】
《ＴＳ入力インターフェースの構成》
図２は、図１に示した本発明の１つの実施の形態による半導体集積回路としてのアプリケーションプロセッサ３の内部の第１と第２トランスポートストリーム入力インターフェース３３１Ａ、Ｂの構成を詳細に示す図である。
【０１０２】
図２で、アプリケーションプロセッサ３には、エンドユーザーが操作する操作キーと操作ボタンとを含む操作デバイス１７が接続されている。
【０１０３】
更に、第１トランスポートストリーム入力インターフェース３３１Ａは、受信・解析制御部３３１Ａ１と、第1パケット分離部３３１Ａ２と、第１パケット内データ解析部３３１Ａ３とを含んでいる。受信・解析制御部３３１Ａ１は受信・選局チャンネルを設定し、第1パケット分離部３３１Ａ２は現在の放送番組の視聴のために放送受信パケットを種別に分離処理し、第１パケット内データ解析部３３１Ａ３は分離パケットデータに対してそのデータ内部を解析する。第１パケット内データ解析部３３１Ａ３からの動画トランスポートストリームはＭＰＥＧ４／Ｈ．２６４圧縮動画像デコーダ３３２のビデオデコーダ３３２Ａで復号され、復号動画像データはＬＣＤコントローラ３４に供給される。第１パケット内データ解析部３３１Ａ３からの音声トランスポートストリームはＭＰＥＧ４／Ｈ．２６４圧縮動画像デコーダ３３２のサウンドデコーダ３３２Ｂで復号され、復号音声データは音声インターフェース３３３に供給される。
【０１０４】
また、第２トランスポートストリーム入力インターフェース３３１Ｂは、第２パケット分離部３３１Ｂ１と、第２パケット内データ解析部３３１Ｂ２と、番組情報蓄積制御部３３１Ｂ３とを含んでいる。第２パケット分離部３３１Ｂ１は現在の放送番組の視聴のためとは別のチャンネルの放送受信パケットを種別に分離処理し、第２パケット内データ解析部３３１Ｂ２は分離部３３１Ｂ１からの分離パケットデータに対してそのデータ内部を解析する。番組情報蓄積制御部３３１Ｂ３は、解析部３３１Ｂ２で解析された番組情報を蓄積する。
【０１０５】
第１ＴＳ入力インターフェース３３１Ａの受信・解析制御部３３１Ａ１は、通常の視聴用の放送チャンネル受信として、一方のワンセグ地上波デジタル放送／チューナーモジュール２ａに対して、視聴対象のチャンネル設定を選局設定する。また、第１ＴＳ入力インターフェース３３１Ａの受信・解析制御部３３１Ａ１は、他方のワンセグ地上波デジタル放送／チューナーモジュール２ｂに対しても、視聴中のチャンネル以外の裏番組の情報取得のための放送チャンネル受信として、裏番組の情報取得対象のチャンネル設定を、順次切り換え選局設定する。裏番組の放送チャンネル受信に対して、第２ＴＳ入力インターフェース３３１Ｂの第２パケット分離部３３１Ｂ１で番組情報の入ったパケットを分離して、第２パケット内データ解析部３３１Ｂ２において、そのチャンネルのイベント情報テーブルＥＩＴ等の番組情報が抽出される。抽出された番組情報は、番組情報蓄積制御部３３１Ｂ３を介して外部メモリインターフェース３２に接続されるＳＤＲＡＭのような外部揮発性記憶装置１３に順次蓄積されて行く。裏番組の全放送チャンネルのザッピング受信が一通り済んだ段階で、全チャンネル番組情報が、番組情報蓄積制御部３３１Ｂ３を介して外部メモリインターフェース３２に接続されるＳＤＲＡＭのような外部揮発性記憶装置１３に完成する。エンドユーザーは、操作デバイス１７等を操作して、外部メモリインターフェース３２に接続されるＳＤＲＡＭのような外部揮発性記憶装置１３の番組表をアクセスして最新の放送番組表を活用することができる。
【０１０６】
尚、本発明の他の実施の形態として、第２ＴＳ入力インターフェース３３１Ｂ内部の第２パケット分離部３３１Ｂ１の代わりに特定パケット簡易分離部を使用すると伴に第２パケット内データ解析部３３１Ｂ２の代わりに特定パケット内データ解析部を使用することもできる。
【０１０７】
特定パケット簡易分離部３３１Ｂ１は、予め定めたパケット種を抜き出し分離するもので、通常の視聴用のパケット分離部に比べて、簡素なものである。また、特定パケット内データ解析部３３１Ｂ２は、予め定めたパケット種内のデータを解析するための専用の簡易版のデータ解析部である。
【０１０８】
このようにして、視聴用とは別のチャンネルの放送受信パケットから特定パケット種を分離処理する特定パケット簡易分離部３３１Ｂ１と、特定パケット簡易分離部３３１Ｂ１からの分離された特定種パケットデータに対してそのデータ内部を解析する特定パケット内データ解析部３３１Ｂ２とを使用するものである。従って、本発明の他の実施の形態でも、特定パケット簡易分離部３３１Ｂ１と特定パケット内データ解析部３３１Ｂ２とを使用することにより、番組情報蓄積制御部１２１を介して外部メモリインターフェース３２に接続されるＳＤＲＡＭのような外部揮発性記憶装置１３に特定の番組関連情報を効率的に蓄積することができる。
【０１０９】
《裏番組予約録画動作を可能とする番組情報蓄積》
図３は、図１と図２とに示した本発明の１つの実施の形態による半導体集積回路としてのアプリケーションプロセッサを搭載した携帯電話で裏番組の予約録画動作を可能とする番組情報の蓄積動作を説明するための図である。図３の番組情報の蓄積動作は、アプリケーションプロセッサ３のＣＰＵ３１のアプリケーションプログラムの実行によるステップ６０１からステップ６１１までの動作ステップを含んでいる。
【０１１０】
裏番組受信開始ステップ６０１で他方のチューナーモジュール２ｂによる裏番組データの受信を開始して、ステップ６０１に続いて、スキャンチャンネルリスト設定ステップ６０３では順次裏番組スキャンの対象とするワンセグ地上波デジタル放送局のチャンネルを設定する。
【０１１１】
ステップ６０３に続き、短期間裏選局時(ザッピング時)の特定対象パケット設定ステップ６０４では、裏番組データの受信取得時に取得対象とするパケットを特定する。本発明の１つの好適な実施の形態では、ステップ６０４で設定される取得対象の特定パケットは、他方のチューナーモジュール２ｂからのトランスポートストリームに含まれる付随伝送情報である番組特定情報(ＰＳＩ)または番組配列情報(ＳＩ)としてのイベント情報テーブル(ＥＩＴ)を構成するパケットである。イベント情報テーブル(ＥＩＴ)を構成するパケットは、番組毎に開始時間、番組長、番組名、出演者、番組のジャンル等の付随情報を記述したデータを含んでいる。
【０１１２】
ステップ６０４に続いて、ステップ６０５では他方のチューナーモジュール２ｂによってザッピング選局対象放送局のチャンネルを確定させる。
【０１１３】
ステップ６０５に続いて、チャンネル内放送ＴＳパケット受信ステップ６０６は、ステップ６０５で確定された選局対象チャンネルからの放送ＴＳパケットの信号を他方のチューナーモジュール２ｂにより実際に受信するものである。
【０１１４】
ステップ６０６に続いて、ステップ６０７は、ステップ６０６にて受信したパケットデータがステップ６０４にて特定された取得対象とするパケットの番組関連情報パケット(例えば、イベント情報テーブル構成パケット)か否かを検出するものである。
【０１１５】
ステップ６０７にて番組関連情報パケットがまだ取得されていないと判断された場合には、ステップ６０６に戻る。ステップ６０７にて番組関連情報パケットが取得されたと判断された場合には、次のステップ６０８にて番組関連情報パケットの中身を解析して、番組関連情報を例えばＣＰＵ３１の内蔵ＲＡＭ３１４を経由して高速バースト転送でＳＤＲＡＭ１３に蓄積・保持するものである。
【０１１６】
ステップ６０８に続いて、ステップ６０９はザッピングによる地域の全放送局のチャンネルのスキャンが一通り完了したか否かを判断するものである。ステップ６０９にてチャンネルのスキャンがまだ一通り完了していないと判断された場合には、ステップ６０５に戻る。ステップ６０９にてチャンネルのスキャンが一通り完了したと判断された場合には、次のステップ６１０にて全チャンネル番組情報を構成・保持するものである。このステップ６１０が完了により、次のステップ６１１で一連の裏番組データの受信を終了するものである。
【０１１７】
このような仕組みにより、最小限の裏チャンネル放送受信を順次行うことで、全チャンネルの番組情報データセットが、部分的に徐々に更新されて行き、最終的に、全チャンネルの番組情報が更新された最新のデータセットが構成される。すなわち、図３に示した本発明の１つの好適な実施の形態では、短期間裏選局時の特定対象パケットとしてイベント情報テーブル(ＥＩＴ)を構成するパケットを設定する場合の例である。従って、短期間裏選局時の特定対象パケット設定ステップ６０４においてＥＩＴ構成パケットを設定して、ステップ６０７にて取得されたパケットが取得対象のＥＩＴ構成パケットか否かを検出する。更に、ステップ６０８での全チャンネルのＥＩＴ構成パケットの解析を反復することにより、ステップ６１０である地域の全ワンセグ地上波デジタル放送局のイベント情報テーブル(ＥＩＴ)を含む電子番組ガイドシステム(ＥＰＧ)がＳＤＲＡＭ１３に最終的に蓄積・保持されるものである。
【０１１８】
図４は、図３に示した番組情報の蓄積動作によってある地域の複数のワンセグ地上波デジタル放送局のイベント情報テーブル(ＥＩＴ)の情報が蓄積されて行く様子を説明する図である。
【０１１９】
受信ＴＳパケットを順次に受信してＥＩＴ情報を取得していくが、最初に放送局(Ａ局)のチャンネルに受信設定を実行する。ＴＳパケット２０４から受信を開始すると、後続の受信パケットの内部に放送局(Ａ局)の番組情報ＥＩＴ２０５が発見される。その時点で放送局(Ａ局)のチャンネル受信２０１を終了すると伴に、この放送局(Ａ局)の番組情報２１４をＳＤＲＡＭ１３に保持・蓄積する。結果的に、この例では、放送局(Ａ局)のチャンネルは、受信期間２１１は例えば１０００msecとなる。
【０１２０】
その後、次のチャンネルへのザッピング(選局受信のチャンネル設定変更)に移り、放送局(Ｂ局)のチャンネルに受信設定を実行する。ＴＳパケット２０６から受信を開始すると、後続の受信パケットの内部に放送局(Ｂ局)の番組情報ＥＩＴ２０８が発見される。その時点で放送局(Ｂ局)のチャンネル受信２０２を終了すると伴に、この放送局(Ｂ局)の番組情報２１５をＳＤＲＡＭ１３に保持・蓄積する。結果的に、この例では、放送局(Ｂ局)のチャンネルを、受信期間２１２は例えば２０００msecとなる。
【０１２１】
更に、その後、次のチャンネルへのザッピング(選局受信のチャンネル設定変更)に移り、放送局(Ｃ局)のチャンネルに受信設定を実行する。ＴＳパケット２０９から受信を開始すると、後続の受信パケットの内部に放送局(Ｃ局)の番組情報ＥＩＴ２１０が発見される。その時点で、放送局(Ｃ局)のチャンネル受信２０３を終了すると伴に、この放送局(Ｃ局)の番組情報２１６を保持・蓄積する。結果的に、この例では、放送局(Ｃ局)のチャンネルを、受信した期間２１３は例えば１５００ｍｓｅｃとなる。
【０１２２】
図５は、図４に示したある地域の複数のワンセグ地上波デジタル放送局のイベント情報テーブル(ＥＩＴ)の情報の蓄積によりある地域の全チャンネル番組情報が部分更新され最終的に最新の全チャンネル番組情報に更新される様子を示す図である。
【０１２３】
図５(ａ)において、まず、裏番組として放送局Ａのチャンネルが選局されて、番組情報２２４が取得され保持される。番組情報２２４の内容としては、例えば、放送局Ａの現在番組情報(Ａ−５０)、後続番組情報(Ａ−５１)、更に先の番組情報(Ａ−５２)等が有る。これらによって、全チャンネル番組データの現在番組情報の欄２２５、後続番組情報の欄２２６、更に先の番組情報の欄２２７が形成される。
【０１２４】
次に、裏番組チャンネルの切り換えが行われ、図５(ｂ)において、裏番組として放送局Ｂのチャンネルが選局されて、番組情報２２８が取得され保持される。番組情報２２８の内容としては、例えば、放送局Ｂの現在番組情報(Ｂ−４５)、後続番組情報(Ｂ−４６)、更に先の番組情報(Ｂ−４７)等が有る。これらによって、全チャンネル番組データの現在番組情報の欄２２９、後続番組情報の欄２３０、更に先の番組情報の欄２３１が形成される。
【０１２５】
更に、同様に、裏番組チャンネルの切り換えが行われ、図５(ｃ)において、裏番組として放送局Ｃのチャンネルが選局されて、番組情報２３２が取得され保持される。番組情報２３２の内容としては、例えば、放送局Ｃの現在番組情報(Ｃ−５７)、後続番組情報(Ｃ−５８)、更に先の番組情報(Ｃ−５９)等が有る。これらによって、全チャンネル番組データの、現在番組情報の欄２３３、後続番組情報の欄２３４、更に先の番組情報の欄２３５が形成される。
【０１２６】
このようにして、ある地域の全チャンネル番組情報が部分更新され最終的に最新の全チャンネル番組情報に更新されることができる。
【０１２７】
以上本発明者によってなされた発明を実施形態に基づいて具体的に説明したが、本発明はそれに限定されるものではなく、その要旨を逸脱しない範囲において種々変更可能であることは言うまでもない。
【０１２８】
例えば、本発明の半導体集積回路は、バッテリー電圧を電源電圧とする携帯電話だけではなく、携帯電話の機能を含んだＰＤＡやパーソナルコンピュータや携帯ゲーム機器等の携帯情報処理端末装置にも適用することができる。尚、ＰＤＡは、Personal Digital Assistの略である。
【０１２９】
また、図１で、アプリケーションプロセッサ８とベースバンドプロセッサ３とは、１個の半導体チップに集積化された統合大規模半導体集積回路とされることができる。また、ＲＦアナログ信号処理集積回路６も、この統合大規模半導体集積回路の１個の半導体チップに集積化されることもできる。
【図面の簡単な説明】
【０１３０】
【図１】図１は、本発明の１つの実施の形態による半導体集積回路としてのアプリケーションプロセッサを搭載した携帯電話の構成を示す図である。
【図２】図２は、図１に示した本発明の１つの実施の形態による半導体集積回路としてのアプリケーションプロセッサの内部の第１と第２トランスポートストリーム入力インターフェースの構成を詳細に示す図である。
【図３】図３は、図１と図２とに示した本発明の１つの実施の形態による半導体集積回路としてのアプリケーションプロセッサを搭載した携帯電話で裏番組の予約録画動作を可能とする番組情報の蓄積動作を説明するための図である。
【図４】図４は、図３に示した番組情報の蓄積動作によってある地域の複数のワンセグ地上波デジタル放送局のイベント情報テーブルの情報が蓄積されて行く様子を説明する図である。
【図５】図５は、図４に示したある地域の複数のワンセグ地上波デジタル放送局のイベント情報テーブルの情報の蓄積によりある地域の全チャンネル番組情報が部分更新され最終的に最新の全チャンネル番組情報に更新される様子を示す図である。
【符号の説明】
【０１３１】
１  ロッドアンテナ
２ａ、２ｂ  ワンセグ地上波デジタル放送／チューナーモジュール
３  アプリケーションプロセッサ
４  アンテナ
５  デュプレクサ
６  ＲＦアナログ信号処理集積回路
７  ＲＦ電力増幅器
８  ベースバンドプロセッサ
９  オーディオ集積回路
１０  スピーカー
１１  マイクロフォン
３１  中央処理ユニット(ＣＰＵ)
３２  外部メモリインターフェースユニット
３３  ワンセグ地上波デジタル放送処理部
３３１Ａ  第１トランスポートストリーム入力インターフェース
３３１Ｂ  第２トランスポートストリーム入力インターフェース
３３２  ＭＰＥＧ４／Ｈ．２６４圧縮動画像デコーダ
３３３  音声インターフェース
３４  ＬＣＤコントローラ
３１１  ＣＰＵコア
３１２  命令キャッシュメモリ
３１３  データキャッシュメモリ
３１４  内蔵ＲＡＭ３１４
３２２  第１外部メモリインターフェース
３２３  第２外部メモリインターフェース
３２４  第３外部メモリインターフェース
３２５  拡張外部メモリインターフェース
１２  第１外部不揮発性半導体記憶装置(フラッシュメモリ)
１３  第１外部揮発性記憶装置(同期型ダイナミックランダムアクセスメモリ)
１４  第２外部不揮発性半導体記憶装置(フラッシュメモリ)
１５  拡張外部不揮発性半導体記憶装置(フラッシュメモリカード)
【図１】
2009135748.tif 000003
【図２】
2009135748.tif 000004
【図３】
2009135748.tif 000005
【図４】
2009135748.tif 000006
【図５】
2009135748.tif 000007